(57)【要約】【課題】給水パイプヒータによる給水経路の迅速な凍結解除及び給水パイプヒータの省電力化について同時に高い効果を得ることのできる自動製氷装置及び冷蔵庫を提供すること。【解決手段】次の給水開始時点を推定し（Ｓ２２），その推定給水開始時点の所定時間前から該推定給水開始時点までの間は，凍結解除電力（第１の供給電力）で加熱ヒータを駆動させることにより迅速且つ確実に給水経路の凍結を解除させ（Ｓ２４，Ｓ２５のＮｏ側），所定時間が経過して給水経路の凍結が解除された推定給水開始時点からは，凍結解除電力よりも低い凍結防止電力（第２の供給電力）で加熱ヒータを駆動させることにより省電力化を図りつつ給水経路の凍結を防止する（Ｓ２５のＹｅｓ側，Ｓ２６）。そして，実際の給水終了後は加熱ヒータを停止させる（Ｓ２８）。【選択図】図２
2011021814.tif 000002
【特許請求の範囲】
【請求項１】
水を貯留する給水タンクと，前記給水タンクから製氷皿に水を供給するための給水経路と，前記給水経路を介して前記給水タンクから前記製氷皿に水を供給させる給水手段と，前記製氷皿の水を凍結させる冷却器と，前記製氷皿から氷を離脱させる離氷手段と，前記給水経路を加熱する加熱ヒータと，前記製氷皿の温度を検出する製氷温度検出手段と，前記製氷温度検出手段による検出温度に基づいて前記離氷手段による離氷動作を制御する離氷制御手段と，前記離氷手段による離氷動作終了後に前記給水手段による給水動作を開始させる給水制御手段と，前記給水手段による次の給水開始時点を推定する給水推定手段と，前記給水推定手段によって推定された推定給水開始時点の所定時間前から予め設定された第１の供給電力で前記加熱ヒータを駆動させ，前記給水手段による給水終了後に前記加熱ヒータを停止させる加熱ヒータ制御手段とを備えてなる自動製氷装置であって，
前記加熱ヒータ制御手段が，前記推定給水開始時点の所定時間前から前記第１の供給電力で前記加熱ヒータを駆動させた後，前記所定時間の経過後は前記第１の供給電力よりも低い第２の供給電力で前記加熱ヒータを駆動させ，その後，実際に前記給水手段による給水動作が終了してから前記加熱ヒータを停止させるものであることを特徴とする自動製氷装置。
【請求項２】
前記給水経路が，前記給水タンクの水を略鉛直下方向に位置する前記製氷皿に導く経路であって，
前記加熱ヒータ制御手段が，前記給水手段による給水終了後，更に所定の待機時間が経過した後に前記加熱ヒータを停止させるものである請求項１に記載の自動製氷装置。
【請求項３】
前記給水制御手段が，少なくとも前記推定給水開始時点までは前記給水手段による給水動作を実行させないものである請求項１又は２のいずれかに記載の自動製氷装置。
【請求項４】
前記離氷制御手段が，少なくとも前記推定給水開始時点までは前記離氷手段による離氷動作を実行させないものである請求項１〜３のいずれかに記載の自動製氷装置。
【請求項５】
請求項１〜４のいずれかに記載の自動製氷装置を備えてなる冷蔵庫。
【発明の詳細な説明】
【技術分野】
【０００１】
本発明は，給水タンクから製氷皿に水を供給して氷を製造する一連の製氷運転を自動実行する自動製氷装置及びこれを備えた冷蔵庫に関し，特に，その給水タンクから製氷皿に続く給水経路の凍結防止を図る給水パイプヒータの制御技術に関するものである。
【背景技術】
【０００２】
一般に，冷蔵庫には，給水タンクから製氷皿に水を供給して氷を製造する一連の製氷運転を自動実行する自動製氷装置が搭載される。この自動製氷装置では，給水タンクから製氷皿への給水経路（配管）上で水が凍結すると，製氷皿への給水を行うことができないばかりか，給水を行うための給水ポンプの内部ギアの破損などが懸念される。そのため，従来から，自動製氷装置には，給水経路を加熱して凍結を防止する給水パイプヒータが設けられる（例えば，特許文献１〜３参照）。
また，特許文献１，２には，給水タンクの水がなくなった場合に給水パイプヒータの駆動を停止させる構成が開示されている。これにより，不要な給水パイプヒータの駆動を防止し，省電力化を図ることができる。
【０００３】
さらに，特許文献３には，製氷皿の温度に基づいて次の給水ポンプの作動開始時点を推定し，その推定された給水ポンプの作動開始時点の少し前から給水パイプヒータを駆動させ，給水ポンプの作動終了から所定時間が経過した後，給水パイプヒータの駆動を停止させる構成が開示されている。これにより，製氷皿への給水後，次の給水が行われるまでの給水パイプヒータの不要な駆動を防止することができ，更なる省電力化を図ることができる。また，仮にその間に給水経路が凍結しても，給水ポンプの作動開始前に給水パイプヒータを駆動して給水経路を加熱しているため，給水ポンプの作動開始までにその凍結を解除（融解）することが可能である。
【０００４】
ところで，前記特許文献３のように給水ポンプの作動開始前に給水経路の凍結を解除するためには，給水パイプヒータの熱容量として氷の融解熱（＝８０［ｃａｌ／ｇ］＝３３４．７２［Ｊ／ｇ］）が必要となり，この氷の融解熱は水の温度を８０℃上昇させるエネルギーに匹敵するものである。
そのため，仮に給水経路の水の凍結を防止し得る程度の低い出力で給水パイプヒータを駆動させた場合には，該給水経路の凍結を解除するために長時間を要することとなり，製氷運転の効率的な稼働が阻害されることになる。従って，給水ポンプの作動開始時点までの間に迅速且つ確実に給水経路の凍結を解除するためには，できるだけ給水パイプヒータを高出力で駆動させることが望ましい。
【先行技術文献】
【特許文献】
【０００５】
【特許文献１】特開２００３−２６９８３１号公報
【特許文献２】特開２００８−３０４１６６号公報
【特許文献３】特開平８−１７８４９１号公報
【発明の概要】
【発明が解決しようとする課題】
【０００６】
しかしながら，前記特許文献３に記載されているように製氷皿の温度に基づいて次の給水ポンプの作動開始時点を推定した場合であっても，冷蔵庫に収容される冷蔵物の温度（熱負荷）や周囲の環境温度，ユーザによる冷蔵庫の扉の開閉頻度，冷却器の霜取り動作などの各種の状況によっては，温度センサによる製氷皿の検出温度が所定の離氷条件を充足するタイミングが遅れ，実際の給水ポンプの作動開始時点が推定した時点よりも遅れることが考えられる。
このような場合，給水ポンプの作動開始時点までは給水経路が凍結しないように給水パイプヒータの駆動を継続させる必要があるため，給水パイプヒータの出力が高いほど，該給水パイプヒータによる電力消費量が増大する。場合によっては，給水パイプヒータの不要な駆動を停止したことによる消費電力の削減よりも，一度凍結した給水経路を解凍する方が給水パイプヒータの消費電力を余分に必要とすることも考えられる。
そのため，給水パイプヒータの出力は，給水パイプヒータによる迅速且つ確実な給水経路の凍結解除と給水パイプヒータの省電力化とのトレードオフの関係を考慮して設定する必要があり，これらの両者について同時に高い効果を得ることができないという問題がある。
従って，本発明は上記事情に鑑みてなされたものであり，その目的とするところは，給水パイプヒータによる給水経路の迅速な凍結解除及び給水パイプヒータの省電力化について同時に高い効果を得ることのできる自動製氷装置及び冷蔵庫を提供することにある。
【課題を解決するための手段】
【０００７】
上記目的を達成するために本発明は，水を貯留する給水タンクと，前記給水タンクから製氷皿に水を供給するための給水経路と，前記給水経路を介して前記給水タンクから前記製氷皿に水を供給させる給水手段と，前記製氷皿の水を凍結させる冷却器と，前記製氷皿から氷を離脱させる離氷手段と，前記給水経路を加熱する加熱ヒータと，前記製氷皿の温度を検出する製氷温度検出手段と，前記製氷温度検出手段による検出温度に基づいて前記離氷手段による離氷動作を制御する離氷制御手段と，前記離氷手段による離氷動作終了後に前記給水手段による給水動作を開始させる給水制御手段と，前記給水手段による次の給水開始時点を推定する給水推定手段と，前記給水推定手段によって推定された推定給水開始時点の所定時間前から予め設定された第１の供給電力で前記加熱ヒータを駆動させ，前記給水手段による給水終了後に前記加熱ヒータを停止させる加熱ヒータ制御手段とを備えてなる自動製氷装置に適用されるものである。そして，本発明に係る自動製氷装置は，前記加熱ヒータ制御手段が，前記推定給水開始時点の所定時間前から前記第１の供給電力で前記加熱ヒータを駆動させた後，前記所定時間の経過後は前記第１の供給電力よりも低い第２の供給電力で前記加熱ヒータを駆動させ，その後，実際に前記給水手段による給水動作が終了してから前記加熱ヒータを停止させるものであることを特徴とする自動製氷装置として構成される。また，本発明は，前記自動製氷装置を備えてなる冷蔵庫として捉えてもよい。
本発明によれば，前記推定給水開始時点の所定時間前から該推定給水開始時点までは，高い出力（前記第１の供給電力）で前記加熱ヒータを駆動させることにより，前記給水経路の凍結を迅速且つ確実に解除させることができ，一方，前記所定時間が経過して前記第１の供給電力による前記加熱ヒータの駆動が終了する前記推定給水開始時点からは，低い出力（前記第２の供給電力）で前記加熱ヒータを駆動させることにより，消費電力を抑制しつつ前記給水経路の再凍結を防止することができる。もちろん，実際に前記給水手段による給水動作が終了した後は前記加熱ヒータを停止させることで省電力化が図られる。
【０００８】
ところで，前記給水手段による給水終了後すぐに前記加熱ヒータを停止させると，その後，前記給水経路内に残っていた水が凍結するおそれがある。そこで，前記給水経路が，前記給水タンクの水を略鉛直下方向に位置する前記製氷皿に導く経路である構成では，前記加熱ヒータ制御手段が，前記給水手段による給水終了後，更に所定の待機時間が経過した後に前記加熱ヒータを停止させるものであることが望ましい。これにより，前記給水手段による給水終了後，前記給水経路に残った水を自重により前記製氷皿に滴下させる時間を確保することができるため，前記給水経路内における水の凍結を防止することができる。
さらに，前記給水制御手段が，少なくとも前記推定給水開始時点までは前記給水手段による給水動作を実行させないものであることが考えられる。これにより，確実に前記給水経路の凍結が解除された状況で前記給水手段による給水を実行させることができる。
また，前記離氷制御手段が，少なくとも前記推定給水開始時点までは前記離氷手段による離氷動作を実行させないものであることも考えられる。この場合にも，前記離氷手段による離氷動作後に実行される前記給水手段による給水動作が，少なくとも前記推定給水開始時点までは実行されないこととなるため，確実に前記給水経路の凍結が解除された状況で前記給水手段による給水動作を実行させることができる。
【発明の効果】
【０００９】
本発明によれば，前記推定給水開始時点の所定時間前から該推定給水開始時点までは，高い出力（前記第１の供給電力）で前記加熱ヒータを駆動させることにより，前記給水経路の凍結を迅速且つ確実に解除させることができ，一方，前記所定時間が経過して前記第１の供給電力による前記加熱ヒータの駆動が終了する前記推定給水開始時点からは，低い出力（前記第２の供給電力）で前記加熱ヒータを駆動させることにより，消費電力を抑制しつつ前記給水経路の再凍結を防止することができる。もちろん，実際に前記給水手段による給水動作が終了した後は前記加熱ヒータを停止させることで省電力化が図られる。
【図面の簡単な説明】
【００１０】
【図１】本発明の実施の形態に係る冷蔵庫１の内部を側面から見た要部模式図。
【図２】本発明の実施の形態に係る冷蔵庫１で実行される自動製氷制御処理及びヒータ制御処理の手順の一例を示すフローチャート。
【発明を実施するための形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１を用いて，本発明の実施の形態に係る冷蔵庫１の概略構成について説明する。なお，図１は，前記冷蔵庫１の内部を側面から見た要部模式図である。
図１に示すように，前記冷蔵庫１は，冷蔵物が収容される冷蔵室１１や氷を製造する製氷室１２，当該冷蔵庫１を統括的に制御する制御部１３などを備えている。前記製氷室１２は，冷凍室内に配置されたものであっても冷凍室とは個別に設けられたものであってもよい。本実施の形態では，前記冷蔵庫１に搭載された後述の給水部２，製氷部３及び前記制御部１３により本発明に係る自動製氷装置が構成される。
なお，前記冷蔵庫１は，本実施の形態で説明する構成要素の他，一般的な冷蔵庫が有する冷凍室や野菜室，冷却器（コンプレッサ，冷凍サイクルなど），冷却ファンなどの構成要素も有しており，前記冷蔵庫１では，前記冷却器によって生成される冷気が前記冷却ファンによって前記冷蔵室１１，前記製氷室１２，前記冷凍室及び前記野菜室に供給されることにより各収容室内が既定の設定温度に冷却・維持される。
【００１２】
前記制御部１３は，ＭＰＵ（演算装置）やＲＯＭ，ＲＡＭなどの制御機器を有しており，前記ＲＯＭに予め記憶された所定の制御プログラムに従った各種処理が前記ＭＰＵによって実行されることにより，当該冷蔵庫Ｘを統括的に制御する。
具体的に，前記制御部１３は，後述の自動製氷制御処理（図２（ａ）のフローチャート参照）やヒータ制御処理（図２（ｂ）のフローチャート参照）を実行する。本発明の実施の形態に係る冷蔵庫１は，当該自動製氷制御処理及びヒータ制御処理の内容に特徴を有するものであり，この点については後段で詳述する。
【００１３】
前記製氷室１２は，前記冷蔵室１１の下部に配置されており，その前面に設けられた製氷室扉１２ａにより開閉される。そして，前記製氷室１２には氷を製造する製氷部３が設けられている。
前記製氷部３は，製氷皿３１，貯氷容器３２，離氷装置３３（離氷手段の一例），貯氷検知レバー３４，サーミスタ３５（製氷温度検出手段の一例）などを有している。
前記製氷皿３１は，所定形状の氷を生成するために水を保持する複数の凹部を有している。前記製氷皿３１の水は，前記冷蔵庫１に設けられた前記冷却器（不図示）で生成された冷気により前記製氷室１２内が氷点下の温度まで冷却されることによって凍結する。
前記サーミスタ３５は，前記製氷皿３１の下面に設けられており，該製氷皿３１の温度を検出して前記制御部１３に入力する。
【００１４】
前記離氷装置３３は，前記制御部１３によって制御されることにより，所定のモータを駆動させて前記製氷皿３１に捻りの動作を与えることにより該製氷皿３１から氷を離脱させ，前記貯氷容器３２に落下させる周知の離氷機構を有している。なお，前記離氷装置３３による離氷手法はこれに限らない。
前記貯氷容器３２は，前記製氷皿３１の下部に配置されており，該製氷皿３１から離脱された氷を貯留する。前記貯氷容器３２は，前記製氷室１２に着脱自在に設けられており，ユーザは，前記製氷室扉１２ａを開き前記貯氷容器３２を取り出して氷を使用する。
また，前記離氷装置３３は，前記貯氷検知レバー３４を所定のモータで回動させることにより，前記貯氷容器３２内の貯氷量が飽和状態であるか否かを検知する機能を有している。なお，前記制御部１３は，前記貯氷検知レバー３４により前記貯氷容器３２内の貯氷量が飽和状態であることが検知されている場合には，該貯氷容器３２の飽和状態が解消するまで，後述の自動製氷制御処理による製氷運転を実行しない。
【００１５】
一方，前記冷蔵室１１は，前記製氷室１２の上部に配置されており，その前面に設けられた冷蔵室扉１１ａにより開閉される。また，前記冷蔵室１１には，前記冷蔵室扉１１ａの開閉を検知する開閉検知センサ１１ｂが設けられており，該開閉検知センサ１１ｂの検知結果は前記制御部１３に入力される。
そして，前記冷蔵室１１には，前記製氷部３の製氷皿３１に水を供給する給水部２が設けられている。前記給水部２は，製氷用の水を貯留する給水タンク２１と，前記給水タンク２１から前記製氷皿３１に水を供給するための給水パイプ２２（給水経路の一例）と，前記給水パイプ２２を介して前記給水タンク２１から前記製氷皿３１に水を供給させる給水ポンプ２３（給水手段の一例）と，前記給水パイプ２２を加熱する給水パイプヒータ２４（加熱ヒータの一例）とを備えている。
前記給水タンク２１は，前記冷蔵室１１に着脱自在に設けられており，ユーザは，前記冷蔵室扉１１ａを開いて前記給水タンク２１を取り出し，該給水タンク２１に水を補充した後，前記冷蔵室１１に装着する。即ち，当該冷蔵庫１では，前記給水タンク２１の水の補充の際に必ず前記冷蔵室扉１１ａの開閉が行われる。
【００１６】
前記給水パイプ２２は，前記給水タンク２１の水を略鉛直下方向に位置する前記製氷皿３１に導く経路であって，前記給水タンク２１から前記製氷皿３１の上部まで延設された配管である。
そして，前記給水ポンプ２３は前記制御部１３によって制御されることにより，前記給水タンク２１から水を汲み上げ，前記給水パイプ２２を介して前記製氷皿３１に供給する。
ところで，前記給水パイプ２２は，前記冷蔵室１１から前記製氷室１２に亘って配置されることにより低温の冷気にさらされるため，該給水パイプ２２内に水が残存している場合にその水が凍結するおそれがある。特に，氷点下に維持される前記製氷室１２内の前記製氷皿３１の近傍に位置する前記給水パイプ２２の先端部は凍結するおそれが高い。そして，前記給水パイプ２２内が凍結した状態で前記給水ポンプ２３が駆動されると，前記給水パイプ２２を通じて前記製氷皿３１に水を供給することができないばかりでなく，前記給水ポンプ２３の内部ギアの破損などが懸念される。
そのため，前記冷蔵庫１には，前記給水パイプ２２を加熱する前記給水パイプヒータ２４が設けられている。前記給水パイプヒータ２４は，前記給水パイプ２２に接触配置されており，該給水パイプ２２内の水の凍結防止や凍結解除のために用いられる。なお，図１に示すように，前記給水パイプヒータ２２は，前記給水タンク２１や前記給水ポンプ２３の周辺にまで至るものであるため，これらにおける水の凍結も防止し得る。
【００１７】
ここで，前記給水パイプヒータ２４は，供給電力により前記給水パイプ２２内の凍結解除及び凍結防止の少なくとも二段階に対応する加熱強度を発揮し得るものである。
前記給水パイプヒータ２４への供給電力は，前記制御部１３によって不図示の電源回路から前記給水パイプヒータ２４への通電率が制御されることによって調節される。以下，前記給水パイプヒータ２４を凍結解除の目的で駆動する場合の加熱強度に対応する供給電力を凍結解除電力（第１の供給電力に相当），前記給水パイプヒータ２４を凍結防止の目的で駆動する場合の加熱強度に対応する供給電力を凍結防止電力（第２の供給電力に相当）と称する。
具体的に，前記凍結解除電力は，前記凍結防止電力が前記給水パイプヒータ２４に供給された場合に該給水パイプヒータ２４により得られる加熱量に比べて十分に大きい加熱量を得ることができるように設定されたものである。これは前述したように，氷の融解熱が水の熱容量に比べて高いためである。例えば，前記凍結解除電力（例えば３．０Ｗ）は，前記凍結防止電力（例えば１．５Ｗ）の２倍程度であることが考えられる。
なお，本実施の形態では説明の便宜上，前記給水パイプヒータ２４が二段階の加熱強度を発揮し得るものである場合について説明するが，もちろん，前記給水パイプヒータ２４は，供給電力に応じて更に多段階の加熱強度を発揮し得るものであってもよい。
【００１８】
以下，図２のフローチャートに従って，前記冷蔵庫１において前記制御部１３により実行される自動製氷制御処理及びヒータ制御処理の手順の一例について説明する。ここに，図２（ａ）に示すＳ１１，Ｓ１２，…は自動製氷制御処理の処理手順（ステップ）の番号，図２（ｂ）に示すＳ２０，Ｓ２１，…はヒータ制御処理の処理手順（ステップ）の番号をそれぞれ表している。
当該自動製氷制御処理及びヒータ制御処理は，前記冷蔵庫１の電源投入により前記制御部１３によって並行して実行される。なお，本実施の形態では，前記制御部１３によって当該自動製氷制御処理及びヒータ制御処理が実行される場合を例に挙げて説明するが，個別の制御主体によって各々の制御処理が実行されることも他の実施例として考えられる。例えば，前記自動製氷制御処理を前記制御部１３が実行し，前記ヒータ制御処理が前記制御部１３とは別途設けられたヒータ制御部により実行されるものであることが考えられる。
まず，図２（ａ）のフローチャートを参照しつつ自動製氷制御処理について説明し，その後，図２（ｂ）のフローチャートを参照しつつヒータ制御処理について説明する。
【００１９】
［自動製氷制御処理］
（ステップＳ１１）
ステップＳ１１において，前記制御部１３は，予め設定された離氷条件が充足したか否か，即ち前記製氷皿３１における製氷が完了して離氷動作を行うべきタイミングが到来したか否かを，前記サーミスタ３５の検出温度に基づいて判断する。
ここに，前記離氷条件は，例えば前記サーミスタ３５による検出温度が予め設定された凍結設定温度以下に達したことや，該凍結設定温度以下である状態が所定時間以上継続したこと，前記製氷皿３１に累積して与えられた冷却量が所定値以上に達したこと等であることが考えられる。もちろん，前記制御部１３による離氷タイミングの制御手法はこれに限らず従来周知の各種手法を採用し得る。
そして，前記離氷条件が充足したと判断された場合には（Ｓ１１のＹｅｓ側），処理はステップＳ１２に移行する。なお，前記離氷条件が充足するまでの間は，当該ステップＳ１１で処理が待機される（Ｓ１１のＮｏ側）。
【００２０】
（ステップＳ１２）
次に，ステップＳ１２において，前記制御部１３は，離氷制限フラグが解除されているか否かを判断する。ここに，前記離氷制限フラグは，前記制御部１３のＲＡＭ上に記憶された情報であって，後述のヒータ制御処理（図２（ｂ）参照）において，前記制御部１３により初期設定でセットされ（Ｓ２０），その後，前記給水パイプヒータ２４が駆動されてから所定時間が経過したときに解除される（Ｓ２７）。
従って，前記冷蔵庫１では，前記離氷条件が充足しても（Ｓ１１のＹｅｓ側），前記離氷制限フラグが解除されていなければ（Ｓ１２のＮｏ側），次の前記離氷装置３３による離氷動作（Ｓ１３）は実行されないこととなる。もちろん，それとは逆に，前記離氷制限フラグが解除されても，前記離氷条件が充足していない場合には（Ｓ１１のＮｏ側），前記離氷装置３３による離氷動作（Ｓ１３）は実行されない。
そして，前記離氷条件が充足し（Ｓ１１のＹｅｓ側），且つ前記離氷制限フラグが解除されると（Ｓ１２のＹｅｓ側），処理はステップＳ１３に移行する。
【００２１】
（ステップＳ１３〜Ｓ１４）
ステップＳ１３では，前記制御部１３は，前記離氷装置３３を制御することにより離氷動作を実行させ，前記製氷皿３１から前記貯氷容器３２に氷を落下させる。このように，前記サーミスタ３５による検出温度に基づいて離氷条件の充足の有無を判断し，前記離氷装置３３による離氷動作を制御するときの前記制御部１３が離氷制御手段に相当する。
そして，前記離氷装置３３による離氷動作終了後，続くステップＳ１４において，前記制御部１３は，前記給水ポンプ２３を制御することにより，該給水ポンプ２３による前記給水タンク２１の水の前記製氷皿３１への給水動作を実行させる。ここに，係る処理を実行するときの前記制御部１３が給水制御手段に相当する。
【００２２】
（ステップＳ１５）
その後，前記給水ポンプ２３による給水動作が終了すると，ステップＳ１５において，前記制御部１３は，製氷運転を停止するか否かを判断する。具体的に，前記制御部１３は，前記給水タンク２１内に水が残存していた場合には製氷運転を継続し，該給水タンク２１内に水が残存していない場合には製氷運転を停止させると判断する。
例えば，氷点下の温度に維持された前記製氷室１２内の製氷皿３１に水が供給されると，該製氷皿３１の温度は上昇することになる。そこで，前記制御部１３は，前記ステップＳ１４における給水動作終了後に前記サーミスタ３５による検出温度が上昇したことを条件に，前記給水タンク２１から前記製氷皿３１に水が供給された，即ち前記給水タンク２１内に水が残存していたと判断することが可能である。
ここで，前記製氷運転を継続させると判断された場合には（Ｓ１５のＮｏ側），処理は前記ステップＳ１１に移行し，製氷運転が継続されることになる。即ち，前記制御部１３は，前記離氷条件の充足を待ち受け（Ｓ１１），該離氷条件が充足し且つ前記離氷制限フラグが解除されたことを条件に（Ｓ１１，Ｓ１２のＹｅｓ側），離氷動作（Ｓ１３）及び給水動作（Ｓ１４）を実行させる。このように，前記冷蔵庫１では，前記制御部１３によって前記自動製氷制御処理が実行されることにより，前記給水タンク２１から前記製氷皿３１に水を供給して氷を製造する一連の製氷運転（Ｓ１１〜Ｓ１４）が自動的に実行される。
【００２３】
（ステップＳ１６）
一方，前記製氷運転を停止させると判断された場合（Ｓ１５のＹｅｓ側），処理はステップＳ１６に移行する。なお，前記製氷運転を停止するか否かの判断手法は，前記給水タンク２１内の水量に依存するものに限らない。例えば，製氷運転の連続実行回数などが定められている場合も考えられる。
ステップＳ１６では，前記制御部１３は，製氷運転を再開するか否かを判断する。具体的に，前記制御部１３は，前記開閉検知センサ１１ｂにより，前記冷蔵室扉１１ａの開閉が行われたことが検知されたことを条件に，製氷運転を再開させる。前記冷蔵室扉１１ａが開閉された場合には，前記冷蔵室１１内に収容された前記給水タンク２１に水が補給された可能性があるためである。もちろん，前記給水タンク２１の着脱を検知するセンサを有している場合には，該センサにより前記給水タンク２１の着脱が検知されたことを条件に製氷運転を再開してもよい。また，その他，例えば製氷運転を実行する間隔として予め設定された所定時間が経過するごとに製氷運転を再開させることや，前記貯氷容器３２における氷の残量に応じて製氷運転の実行タイミングを判断することも考えられる。
【００２４】
［ヒータ制御処理］
次に，図２（ｂ）のフローチャートを参照しつつ，前記ヒータ制御処理について説明する。当該ヒータ制御処理では，前記給水パイプヒータ２４の駆動の有無及び該給水パイプヒータ２４への供給電力が前記制御部１３によって制御される。ここに，係る制御処理を実行するときの前記制御部１３が加熱ヒータ制御手段に相当する。
（ステップＳ２０〜Ｓ２１）
まず，ステップＳ２０において，前記制御部１３は，前記自動製氷制御処理（図２（ａ）参照）における前記ステップＳ１２の判断指標となる離氷制限フラグをセットする。これにより，前記離氷制限フラグが後述のステップＳ２７で解除されるまでの間は（Ｓ１２のＮｏ側），仮に前記離氷条件が充足しても（Ｓ１１のＹｅｓ側），前記ステップＳ１３における離氷動作が実行されないこととなる。
次に，ステップＳ２１では，前記制御部１３は，前記自動製氷制御処理（図２（ａ）参照）による製氷運転（Ｓ１１〜Ｓ１４）が実行中であるか否かを判断する。なお，当該判断は，例えば前記製氷運転の実行中にセットされる所定のフラグの状態を指標に行えばよく，もちろんこれに限らない。
そして，前記制御部１３は，前記製氷運転が実行されていない場合は（Ｓ２１のＮｏ側），当該ステップＳ２１の判断処理を適宜繰り返して実行し，前記製氷運転が実行されている場合には（Ｓ２１のＹｅｓ側），処理をステップＳ２２に移行させる。
【００２５】
（ステップＳ２２）
次に，ステップＳ２２では，前記制御部１３は，前記自動製氷制御処理において，次に前記給水ポンプ２３による給水動作（Ｓ１４）が開始される時点を推定するための処理を実行する。ここに，係る処理を実行するときの前記制御部１３が給水推定手段に相当する。また，ここで推定された給水動作の開始時点を推定給水開始時点と称する。
具体的に，前記冷蔵庫１では，前記自動製氷制御処理において，前記離氷動作（Ｓ１３）の実行後に続けて前記給水動作（Ｓ１４）が実行されるため，前記制御部１３は，前記離氷動作（Ｓ１３）の実行条件である前記離氷条件が充足する時点を推定することにより，前記給水動作の開始時点を推定することができる。
例えば，前記サーミスタ３５による現状の検出温度や変化率等と前記離氷条件が充足するまでの時間との対応関係を，予め実験やシミュレーション等により得られた結果に基づいて設定しておくことが考えられる。これにより，前記制御部１３は，前記サーミスタ３５による検出温度と前記対応関係とに応じて前記離氷条件が充足するまでに要する時間を推定することができる。
【００２６】
（ステップＳ２３）
そして，ステップＳ２３では，前記制御部１３は，現時点が前記推定給水開始時点の所定時間前であるか否かを判断する。ここに，前記所定時間は，前記給水パイプヒータ２４に前記凍結解除電力を供給したときに前記給水パイプ２２の凍結を確実に解除し得る時間として，予め実験やシミュレーション等により測定された時間である。例えば，前記所定時間は１５分程度に設定される。
ここで，前記推定給水開始時点の所定時間前ではないと判断された場合（ステップＳ２３のＮｏ側），処理は前記ステップＳ２１に戻され，前記給水パイプヒータ２４は駆動されない状態で維持される。
一方，前記推定給水開始時点の所定時間前に達したと判断された場合（ステップＳ２３のＹｅｓ側），処理はステップＳ２４に移行する。
【００２７】
ところで，前記給水パイプヒータ２４に前記凍結解除電力を供給したときに前記給水パイプ２２の凍結を確実に解除し得る前記所定時間の長さは，前記冷蔵庫１の動作状況や設置環境などによっても異なると考えられるため，予め前記冷蔵室１１や前記製氷室１２の温度，外気温度などの前記冷蔵庫１など条件を示す各種パラメータと，該条件において前記給水パイプ２２の凍結を確実に解除し得る必要最低限の時間との関係を設定しておき，前記制御部１３が，前記冷蔵庫１の動作状況や設置環境などに応じて前記所定時間を適宜変更することが望ましい。
さらに，前記給水タンク２１に水が無くなっていることにより長時間に亘って前記製氷運転が実行されない場合など，前記給水パイプヒータ２４が長時間駆動されない場合には，前記給水パイプ２２が凍結している可能性が高くその凍結度合も強いと考えられる。そこで，前記制御部１３が，前記給水パイプヒータ２４が駆動されない時間を積算して記憶し，その積算時間に応じて前記所定時間を２倍にするなど，前記給水パイプ２２の凍結を確実に解除することができるように前記所定時間を変更することが考えられる。これにより，前記給水パイプ２２が凍結している状態で給水動作が行われることを，より確実に防止し得る。
【００２８】
（ステップＳ２４〜Ｓ２５）
そして，前記制御部１３は，前記推定給水開始時点の所定時間前から，前記給水パイプヒータ２４に前記凍結解除電力の供給を開始させることにより，該給水パイプヒータ２４を駆動させて前記給水パイプ２２の加熱を開始させる（Ｓ２４）。
これにより，前記給水パイプ２２内で水が凍結している場合であっても前記所定時間経過後には，該凍結が確実に解除されることとなる。なお，前記給水パイプヒータ２４に供給される前記凍結解除電力は，前記冷蔵室１１，前記製氷室１２の温度調節，及び外気温に応じて最適な値に適宜変更してもよい。
その後，ステップＳ２５では，前記制御部１３によって，前記所定時間が経過したか否か，即ち前記推定給水開始時点に達したか否かが判断される。ここで，前記所定時間が経過するまでの間は（Ｓ２５のＮｏ側），処理が前記ステップＳ２５で待機され，前記給水パイプヒータ２４には継続して前記凍結解除電力が供給される。
一方，前記所定時間が経過すると（Ｓ２５のＹｅｓ側），処理はステップＳ２６に移行する。
【００２９】
（ステップＳ２６）
そして，前記制御部１３は，前記所定時間の経過後（Ｓ２５のＹｅｓ側），続くステップＳ２６において，前記給水パイプヒータ２４に供給する電力を，前記凍結解除電力よりも低い前記凍結防止電力に変更することにより，該凍結防止電力で前記給水パイプヒータ２４を駆動させる。
その後，前記凍結防止電力による前記給水パイプヒータ２４の駆動は，後述のステップＳ２８において前記給水ポンプ２３による給水終了後から前記既定の待機時間が経過したと判断されるまで継続されるため（Ｓ２８のＮｏ側），少なくとも実際に前記給水ポンプ２３による給水動作が終了するまでは継続することになる。
従って，仮に前記推定給水開始時点で実際に前記給水ポンプ２３による給水動作が実行されない場合であっても，実際に前記給水動作が実行されるまでの間は，前記給水パイプ２２の凍結を防止することができる。しかも，この場合には既に前記給水パイプ２２の凍結が解除されており，前記給水パイプヒータ２４を高出力で駆動させる必要がないことに鑑みて，前記凍結解除電力よりも低い前記凍結防止電力を供給して前記給水パイプヒータ２４を駆動させているため，前記ステップＳ２４で開始された前記給水パイプヒータ２４への前記凍結解除電力の供給を継続する場合に比べて消費電力を省減することができる。
【００３０】
（ステップＳ２７）
次に，ステップＳ２７では，前記制御部１３は，前記離氷制限フラグを解除する。これにより，前記自動製氷制御処理において前記離氷条件が充足している場合には（Ｓ１１のＹｅｓ側），前記離氷制限フラグの解除により（Ｓ１２のＹｅｓ側），前記離氷動作及び前記給水動作が順に実行されることとなる（Ｓ１３〜Ｓ１４）。また，前記離氷制限フラグが解除されても，前記離氷条件が充足していない場合には前記離氷動作及び前記給水動作が実行されず，その後に前記離氷条件が充足したことを条件に（Ｓ１１，Ｓ１２のＹｅｓ側），前記離氷動作及び前記給水動作が順に実行されることとなる（Ｓ１３〜Ｓ１４）。
このように，前記冷蔵庫１では，前記離氷条件が充足したか否かにかかわらず，少なくとも前記給水パイプヒータ２４が駆動されてから前記所定時間が経過するまでの間，即ち前記給水パイプ２２の凍結が確実に解除される前記推定給水開始時点までは，前記離氷動作及び前記給水動作が実行されないため，前記給水パイプ２２が凍結した状態で前記給水動作が実行されることを確実に防止することができる。
なお，本実施の形態では，前記離氷制限フラグが解除されるまで前記離氷動作及び前記給水動作の両方を実行しない場合を例に挙げて説明したが，前記離氷動作のみを実行させて前記給水動作を実行させないことも他の実施例として考えられる。
【００３１】
（ステップＳ２８）
次に，ステップＳ２８では，前記制御部１３は，前記自動製氷制御処理において実際に前記給水ポンプ２３による給水動作（Ｓ１４）が終了した後から更に既定の待機時間が経過したか否かを判断する。
ここに，前記既定の待機時間は，前記給水動作終了後に前記給水パイプ２２に残存しているおそれがある水が自重により落下するまでに要する時間として予め実験やシミュレーション等によって定められた時間である。なお，前記給水パイプ２２内の水を落下させるため，前記給水ポンプ２３は，非駆動時に前記給水パイプ２２の上方の一部を大気圧に開放し得るものであることが望ましい。
これにより，前記給水動作後すぐに前記給水パイプヒータ２４の通電を停止した場合に生じる問題，即ち前記給水パイプ２２に残った水が凍結し，次の製氷サイクルで前記給水パイプヒータ２４に通電したときに凍結が解除された水が前記給水パイプ２２から前記製氷皿３１で製氷された氷の上に滴下して氷の上面に滴下した水滴の山が形成されるという問題を解決することができる。
なお，例えば前記既定の待機時間は３分程度であることが考えられるが，前記給水動作後，前記給水パイプ２２に残った水滴が滴下する時間は，該給水パイプ２２の長さ，形状及び材質などによっても異なるため，実際の前記冷蔵庫１における前記給水動作の実測評価により決めることが望ましい。
【００３２】
（ステップＳ２９）
そして，前記ステップＳ２８において，前記給水ポンプ２３による給水終了後，さらに前記既定の待機時間が経過したと判断されると（Ｓ２８のＹｅｓ側），前記制御部１３は，前記給水パイプヒータ２４の駆動を停止させ（Ｓ２９），処理を前記ステップＳ２０に戻す。
これにより，前記製氷運転が実行されており（Ｓ２１のＹｅｓ側），且つ前記冷蔵庫１における次の推定給水開始時点の所定時間前になるまでの間は（Ｓ２３のＮｏ側），前記給水パイプヒータ２４が停止された状態が維持されるため，省電力化が図される。
【００３３】
以上説明したように，前記冷蔵庫１では，前記制御部１３によって，前記自動製氷制御処理及び前記ヒータ制御処理が実行されることにより，前記推定給水開始時点の所定時間前から前記推定給水開始時点までは，前記給水パイプヒータ２４が前記凍結解除電力（第１の供給電力）によって駆動されるが，前記推定給水開始時点からは前記凍結解除電力よりも低い前記凍結防止電力（第２の供給電力）で前記給水パイプヒータ２４が駆動される。
従って，前記推定給水開始時点の所定時間前から該推定給水開始時点までは，前記凍結解除電力を前記給水パイプヒータ２４に供給して前記給水パイプ２２の凍結を迅速且つ確実に解除させることができ，一方，前記所定時間が経過して前記凍結解除電力による前記給水パイプヒータ２４の駆動が終了する前記推定給水開始時点からは，前記凍結防止電力を前記給水パイプヒータに供給することにより，消費電力を抑制しつつ前記給水パイプ２２の再凍結を防止することができる。
また，前記冷蔵庫１のように，前記給水タンク２１の抜き差しを検知するスイッチ等を有しておらず，前記開閉検知センサ１１ｂによる前記冷蔵室扉１１ａの検知に応じて前記給水タンク２１に水が供給された可能性を認識する構成では，実際に前記給水タンク２１に水が補給されなくても，ユーザーが前記冷蔵室扉１１ａの開閉を行うたびに製氷動作が繰り返し実行されることになるため，本発明のように前記給水パイプヒータ２４の通電時間を短縮すると共に，該給水パイプヒータ２４の消費電力を省減する構成が特に好適である。
【符号の説明】
【００３４】
１…冷蔵庫
１１…冷蔵室
１１ａ…冷蔵室扉
１１ｂ…開閉検知センサ
１２…製氷室
１２ａ…製氷室扉
１３…制御部
２…給水部
２１…給水タンク
２２…給水パイプ
２３…給水ポンプ
２４…給水パイプヒータ
３…製氷部
３１…製氷皿
３２…貯氷容器
３３…離氷装置
３４…貯氷検知レバー
３５…サーミスタ
Ｓ１１，Ｓ１２，…，…処理手順（ステップ）番号
Ｓ２０，Ｓ２１，…，…処理手順（ステップ）番号
【図１】
2011021814.tif 000003
【図２】
2011021814.tif 000004